(57)【要約】【課題】鼻緒を備えた履物を着用した場合に、鼻緒ずれが発生しにくく、足の甲部や指股部に痛みが発生するのを防止できる鼻緒ずれ防止具を提供する。【解決手段】鼻緒において足の甲部及び指股部が接触する部位を被覆しうる鼻緒カバー部を有し、上記鼻緒カバー部は、鼻緒の左右の横紐部に巻き付け可能な一対の翼部と、上記左右の横紐部に巻き付けられた上記翼部を固定しうる止着部と、鼻緒の前紐部の内面部に当接しうる突部とを有している。上記鼻緒カバー部は、クッション性を有し、着脱可能であり、上記翼部は、鼻緒の横紐部を外方から包み込むように内方へ屈曲されると共に、上記止着部は前方へ屈曲されて上記翼部の上に重ね合わされて固定される。【選択図】図５
0003123379.tif 000002
【実用新案登録請求の範囲】
【請求項１】
鼻緒が備えられた履物に装着しうる鼻緒ずれ防止具であって、
鼻緒において足の甲部及び指股部が接触する部位を被覆しうる鼻緒カバー部を有し、
上記鼻緒カバー部は、鼻緒の左右の横紐部に巻き付け可能な一対の翼部と、上記左右の横紐部に巻き付けられた上記翼部を固定しうる止着部と、鼻緒の前紐部の内面部に当接しうる突部とを有していることを特徴とする鼻緒ずれ防止具。
【請求項２】
上記鼻緒カバー部は、鼻緒の周囲に巻き付けうる可撓性を有するシート状部材により形成され、クッション性を有し、着脱可能に形成されていることを特徴とする請求項１記載の鼻緒ずれ防止具。
【請求項３】
上記翼部と上記止着部は三方へ突出形成され、上記一対の翼部は上記止着部を中心として略左右対称に配置され、上記突部は上記一対の翼部の中間位置に配置されていることを特徴とする請求項１又は２記載の鼻緒ずれ防止具。
【請求項４】
上記翼部は、鼻緒の横紐部を外方から包み込むように内方へ屈曲されると共に、上記止着部は前方へ屈曲されて上記翼部の上に重ね合わされて固定されるように形成されていることを特徴とする請求項１〜３のいずれかに記載された鼻緒ずれ防止具。
【請求項５】
上記翼部の周縁部と上記止着部の周縁部との間には窪みが形成されていることを特徴とする請求項１〜４のいずれかに記載された鼻緒ずれ防止具。
【考案の詳細な説明】
【技術分野】
【０００１】
本考案は、草履、サンダル等、鼻緒が備えられた履物に装着して、その履物を着用した場合に、鼻緒ずれにより、足の甲部や指股部に痛みが発生するのを防止しうる鼻緒ずれ防止具に関する。
【背景技術】
【０００２】
鼻緒が備えられた履物は、例えば、草履、ビーチサンダル、下駄等各種存在する。
上記履物を着用する場合、鼻緒の前紐部を足の指における第１指と第２指との間に挟むと共に、鼻緒の左右の横紐部における前側部位で足の甲部を押さえ止めすることにより足を固定する。
上記鼻緒は、上記のように足を固定する必要があるので、硬めの丈夫な素材により、断面が細長い略楕円形になるように形成され、両端側縁部はやや角張っている。
【０００３】
したがって、上記履物を長時間着用した場合は、足の第１指と第２指との間に挟んだ鼻緒の前紐部が指股部に食い込み、又、鼻緒の左右の横紐部における前側部位が足の甲部を圧迫し続けることから、歩行する際に鼻緒ずれが生じ、足が痛くなるという不具合があった。
特に、使用開始直後の新しい履物は、鼻緒が足に馴染んでおらず、上記の傾向が顕著である。
【０００４】
本出願人は上記の不具合を解消しうる鼻緒ずれ防止具について調査したが、関連する先行技術文献を見出すことはできなかった。
【考案の開示】
【考案が解決しようとする課題】
【０００５】
本考案の課題は、上記の不具合を解消しうる鼻緒ずれ防止具、即ち、鼻緒を備えた履物を着用した場合に、鼻緒ずれが発生しにくく、足の甲部や指股部に痛みが発生するのを防止できる鼻緒ずれ防止具を提供することにある。
【課題を解決するための手段】
【０００６】
上記課題を解決するために、請求項１記載の本考案に係る鼻緒ずれ防止具は、鼻緒が備えられた履物に装着しうる鼻緒ずれ防止具であって、鼻緒において足の甲部及び指股部が接触する部位を被覆しうる鼻緒カバー部を有し、上記鼻緒カバー部は、鼻緒の左右の横紐部に巻き付け可能な一対の翼部と、上記左右の横紐部に巻き付けられた上記翼部を固定しうる止着部と、鼻緒の前紐部の内面部に当接しうる突部とを有していることを特徴とする。
即ち、本考案に係る鼻緒ずれ防止具にあっては、鼻緒の左右の横紐部に巻き付け可能に形成された一対の上記翼部が足の甲部を保護し、鼻緒の前紐部の内面部に当接しうるように形成された上記突部が足の指股部を保護することになる。
また、上記止着部は、鼻緒に巻き付けられた上記翼部に連結して装着状態を固定する。
【０００７】
また、請求項２記載の本考案に係る鼻緒ずれ防止具は、上記鼻緒カバー部は、鼻緒の周囲に巻き付けうる可撓性を有するシート状部材により形成され、クッション性を有し、着脱可能に形成されていることを特徴とする。
即ち、本考案に係る鼻緒ずれ防止具は、全体が平面的に形成され、かつ、鼻緒の周囲に巻き付けうるように変形可能である。
また、足の甲部や指股部に対する触感を良好にするためにクッション性を有している。
また、不使用時に取り外しできるように着脱可能に形成されている。
【０００８】
また、請求項３記載の本考案に係る鼻緒ずれ防止具は、上記翼部と上記止着部は三方へ突出形成され、上記一対の翼部は上記止着部を中心として略左右対称に配置され、上記突部は上記一対の翼部の中間位置に配置されていることを特徴とする。
即ち、本考案に係る鼻緒ずれ防止具にあっては、鼻緒を三方から包み込みできるように、上記翼部と上記止着部は三方へ突出形成されている。
また、上記翼部をバランス良く鼻緒に巻き付けられるように、上記一対の翼部は上記止着部を中心として略左右対称に配置されている。
また、上記突部を鼻緒の前紐部に当接できるように、上記突部は上記一対の翼部の中間位置に配置されている。
【０００９】
また、請求項４記載の本考案に係る鼻緒ずれ防止具は、上記翼部は、鼻緒の横紐部を外方から包み込むように内方へ屈曲されると共に、上記止着部は前方へ屈曲されて上記翼部の上に重ね合わされて固定されるように形成されていることを特徴とする。
即ち、本考案に係る鼻緒ずれ防止具にあっては、着用した場合に、動いて外れないように、上記翼部と上記止着部が三方から鼻緒に被せられるように形成されている。
【００１０】
また、請求項５記載の本考案に係る鼻緒ずれ防止具は、上記翼部の周縁部と上記止着部の周縁部との間には窪みが形成されていることを特徴とする。
即ち、本考案に係る鼻緒ずれ防止具にあっては、鼻緒に装着した場合に、鼻緒の側縁部と接触する部位が鼻緒を擦って損傷しないように、上記翼部の周縁部と上記止着部の周縁部との間には窪みが形成されている。
【考案の効果】
【００１１】
請求項１記載の本考案に係る鼻緒ずれ防止具は、鼻緒が備えられた履物に装着しうる鼻緒ずれ防止具であって、鼻緒において足の甲部及び指股部が接触する部位を被覆しうる鼻緒カバー部を有していることから、上記鼻緒ずれ防止具を装着した草履等の履物を足に着用した場合に、上記鼻緒カバー部が鼻緒における足の甲部や指股部に接触する部位を被覆し、足の甲部や指股部が直接に、硬い素材で形成され端縁部がやや角張っている鼻緒に接触するのを避けることができる。したがって、上記履物を長時間着用しても、足の甲部や指股部が鼻緒により擦られて鼻緒ずれが発生することにより痛みが発生するのを防止することができる。
また、上記鼻緒カバー部は、鼻緒の左右の横紐部に巻き付け可能な一対の翼部と、上記左右の横紐部に巻き付けられた上記翼部を固定しうる止着部と、鼻緒の前紐部の内面部に当接しうる突部とを有していることから、鼻緒の左右の横紐部に巻き付けた一対の上記翼部により足の甲部が鼻緒の横紐部に接触するのを防止されると共に、鼻緒の前紐部の内面部に当接された上記突部により指の股部が鼻緒の前紐部に接触するのを防止される。したがって、足の甲部と指股部が効率的に保護され、鼻緒ずれが有効に防止される。
また、上記翼部や止着部を鼻緒に巻き付けることにより、足が保護されるのみではなく鼻緒自体も保護されるので、履物の耐久性が向上する。
【００１２】
請求項２記載の本考案に係る鼻緒ずれ防止具は、上記鼻緒カバー部は、鼻緒の周囲に巻き付けうる可撓性を有するシート状部材により形成されていることから、上記シート状部材を曲げながら鼻緒に巻き付けるだけで容易に履物に装着することができる。
また、シート状部材により形成されていることから、保管する場合に、展開状態とすれば嵩張らず、大きな保管スペースを必要としない。
また、上記鼻緒カバー部は、クッション性を有していることから、履物に装着して足に着用した場合に、足の甲部や指股部に加えられる衝撃を軽減し、触感を良好にすることができる。したがって、履物の履き心地も良好になる。
また、上記鼻緒カバー部は、鼻緒に対し着脱可能に形成されていることから、履物を着用する場合のみ履物に上記鼻緒ずれ防止具を装着し、履物を着用しない場合は上記鼻緒ずれ防止具を履物から取り外して置くことができる。したがって、履物の不使用時には、上記鼻緒ずれ防止具と履物とを別個に保管することができるので保管しやすい。
また、上記鼻緒ずれ防止具は、汚れた場合や、デザインに飽きた場合などに、別の鼻緒ずれ防止具と交換することができる。
また、履物から取り外すことにより、別の鼻緒付きの履物に装着して使用することができる。
【００１３】
請求項３記載の本考案に係る鼻緒ずれ防止具は、上記翼部と上記止着部は三方へ突出形成され、上記一対の翼部は上記止着部を中心として略左右対称に配置され、上記突部は上記一対の翼部の中間位置に配置されていることから、全体の形状がシンプルでシート状部材を切断加工することにより容易に形成することができる。
また、形状がシンプルであることから、鼻緒に装着する場合も手間取らず、脱着が簡便である。
【００１４】
請求項４記載の本考案に係る鼻緒ずれ防止具は、上記翼部は、鼻緒の横紐部を外方から包み込むように内方へ屈曲されると共に、上記止着部は前方へ屈曲されて上記翼部の上に重ね合わされて固定されるように形成されていることから、三方から鼻緒に被せられて装着されることになるので、鼻緒に装着された状態で位置がずれにくい。また、歩行時には足の甲部により鼻緒ずれ防止具が前方へ押されることになるが、上記止着部は後方から前方へ屈曲されているので、上記止着部は剥がれにくく、鼻緒に装着した状態が安定する。
【００１５】
請求項５記載の本考案に係る鼻緒ずれ防止具は、上記翼部の周縁部と上記止着部の周縁部との間には窪みが形成されていることから、鼻緒に装着した状態では、鼻緒における横紐部の内側の側縁部が上記窪みに位置することになる。
したがって、上記横紐部の太さが多少大きくなっても、上記横紐部と上記鼻緒ずれ防止具の周縁部との接触部位が少なくなって、上記横紐部が擦り切れにくくなり、鼻緒が保護される。
【考案を実施するための最良の形態】
【００１６】
以下、図面を用いて本考案の実施の形態について説明する。
本実施の形態に係る鼻緒ずれ防止具１１は、図３〜図６に示すように、鼻緒１２が備えられた履物１３に装着しうる鼻緒ずれ防止具１１であって、図１及び図２に示すように、鼻緒１２において足の甲部及び指股部が接触する部位を被覆しうる鼻緒カバー部１４を有し、上記鼻緒カバー部１４は、鼻緒１２の左右の横紐部１５，１６に巻き付け可能な一対の翼部１７，１８と、上記左右の横紐部１５，１６に巻き付けられた上記翼部１７，１８を固定しうる止着部１９と、鼻緒１２の前紐部２０の内面部に当接しうる突部２１とを有している。
【００１７】
また、上記鼻緒カバー部１４は、図３〜図６に示すように、鼻緒１２の周囲に巻き付けうる可撓性を有するシート状部材２２により形成され、クッション性を有し、着脱可能に形成されている。
【００１８】
また、図１及び図２に示すように、上記翼部１７，１８と上記止着部１９は三方へ突出形成され、上記一対の翼部１７，１８は上記止着部１９を中心として略左右対称に配置され、上記突部２１は上記一対の翼部１７，１８の中間位置に配置されている。
【００１９】
また、上記翼部１７，１８は、図４〜図６に示すように、鼻緒１２の横紐部１５，１６を外方から包み込むように内方へ屈曲されると共に、上記止着部１９は前方へ屈曲されて上記翼部１７，１８の上に重ね合わされて固定されるように形成されている。
【００２０】
また、図１及び図２に示すように、上記翼部１７，１８の周縁部と上記止着部１９の周縁部との間には窪み２３，３２が形成されている。
【実施例１】
【００２１】
図は実施例に係る鼻緒ずれ防止具１１を示したものである。
本実施例に係る鼻緒ずれ防止具１１は、鼻緒１２が備えられた履物１３、例えば図３〜図６に示す草履２４に装着しうるように形成されている。
【００２２】
上記鼻緒ずれ防止具１１は、図１及び図２に示すように、厚さ寸法が数ミリ程度の薄いシート状部材２２により形成され、上記シート状部材２２は可撓性を有すると共に、クッション性を有している。
上記シート状部材２２の素材には皮革が使用されている。なお、上記シート状部材２２の素材は自由であり、上記皮革に限定されるものではない。
【００２３】
上記鼻緒ずれ防止具１１は、図５及び図６に示すように、鼻緒１２において足の甲部及び指股部が接触する部位を被覆しうる鼻緒カバー部１４を有している。
【００２４】
上記鼻緒カバー部１４は、図１及び図２に示すように、一対の翼部１７，１８と、止着部１９と、突部２１とを有している。
【００２５】
図１及び図２に示すように、上記翼部１７，１８と上記止着部１９は三方へ突出形成され、上記一対の翼部１７，１８は上記止着部１９を中心として略左右対称に配置されている。
上記止着部１９は、一端が切り取られた略円形に形成され、また、上記翼部１７，１８は略楕円形に形成されている。
また、上記突部２１は、小さな略半円形に形成され、上記一対の翼部１７，１８の中間位置に配置されている。
即ち、上記鼻緒カバー部１４は、全体として略三角形に形成されている。
【００２６】
また、上記翼部１７，１８の周縁部と上記止着部１９の周縁部との間には窪み２３が形成されている。
【００２７】
図１に示すように、上記止着部１９の表面側には装飾２５が施されている。上記装飾２５は、模様を印刷することにより形成されている。
なお、上記装飾２５の形成方法は自由であり、例えば別個形成されたオーナメントを取り付けることも可能である。
このように装飾２５を施すことにより、上記鼻緒ずれ防止具１１は履物１３の装飾用具としても利用することができ、履物１３のお洒落が可能となる。
【００２８】
図１に示すように、上記一対の翼部１７，１８の表面側には、フック状のやや硬めの糸状部材が多数植設されて形成された面ファスナの雄部材２６，２７が、先端部の全域に亘って設けられている。
したがって、上記一対の翼部１７，１８は先端部を確実且つ綺麗に止着することができる。
【００２９】
また、図２に示すように、上記鼻緒カバー部１４の裏面側には、上記面ファスナの雄部材２６，２７と係脱可能な面ファスナの雌部材２８が、全域に亘って設けられている。なお、面ファスナの雌部材２８は、ループ状の柔らかい糸状部材が多数植設されて形成されている。
したがって、上記鼻緒カバー部１４を鼻緒１２に装着した場合、上記の柔らかい面ファスナの雌部材２８が鼻緒１２に当接することになるので、鼻緒１２が保護され損傷しにくくなり、かつ、上記面ファスナの雌部材２８は上記鼻緒カバー部１４にクッション性を付与することになるので、足の甲を痛めにくくなる。
【００３０】
以下に、上記実施例に係る鼻緒ずれ防止具１１の作用について説明する。
まず、上記鼻緒ずれ防止具１１は、図３に示すように、裏面側を上にして草履２４の底部材３１の上に載置し、上記翼部１７，１８を鼻緒１２の横紐部１５，１６の下側から上記底部材３１の外方へ突出させる。
次に、図４に示すように、上記翼部１７，１８を外方から内方へ折り返し、鼻緒１２の横紐部１５，１６を包み込むようにし、一方の翼部１７の上に他方の翼部１８を重ね合わせ、一方の翼部１７の表面側に設けられた面ファスナの雄部材２６に対し他方の翼部１８の裏面側に設けられた面ファスナの雌部材２８を係合させる。
【００３１】
次に、図５に示すように、上記止着部１９を前方へ折り返して、重ね合わされた上記翼部１７，１８の上に更に重ね合わせ、上記止着部１９の裏面側に設けられた上記面ファスナの雌部材２８を、上記翼部１８の表面側に設けられた上記面ファスナの雄部材２７に係合させる。
このように、上記翼部１７，１８と上記止着部１９とを、面ファスナの雄部材２６，２７と面ファスナの雌部材２８を使用して固定することにより、上記翼部１７，１８と上記止着部１９は重ね合わせて軽く押圧することにより容易に固定することができ、又、上記翼部１７，１８と上記止着部１９を引き剥がすことにより容易に取り外すことができる。
また、固定具としてボタンや鉤フックを使用した場合は、固定位置が限定されてしまうが、面ファスナの場合は固定しうる面積が広く余裕があるので、鼻緒１２のサイズが多少異なっても固定位置をずらして容易に対応することができる。
また、面ファスナ自体もクッション性を有することから、鼻緒カバー部１４全体のクッション性が向上する。
【００３２】
また、図６に示すように、上記突部２１は鼻緒１２の上記前紐部２０の内面部に当接させ、上記窪み２３，３２には上記横紐部１５，１６の側縁部を配置する。
これにより、上記鼻緒ずれ防止具１１は鼻緒１２に装着されて固定される。
【００３３】
即ち、、上記鼻緒ずれ防止具１１は、上記翼部１７，１８が鼻緒１２の左右の横紐部１５，１６に巻き付けられて上記横紐部１５，１６を被覆し、上記止着部１９は上記横紐部１５，１６の被覆状態を固定する。
【００３４】
上記のように鼻緒１２に鼻緒ずれ防止具１１を装着した状態で、草履２４を履くと、足の甲部に、上記鼻緒カバー部１４が接触し、指股部に上記突部２１が接触する。
したがって、鼻緒１２の前紐部２０や横紐部１５，１６の角張った縁部が直接に甲部や指股部に接触するのが回避され、甲部や指股部にはクッション性を有する上記シート状部材２２が接触するので、長時間、草履２４を着用しても甲部や指股部が痛むのを防止することができる。
また、上記鼻緒ずれ防止具１１は足の甲部や指股部を保護すると共に、鼻緒１２を保護する作用も有することから、履物の耐久性を向上させる。
【産業上の利用可能性】
【００３５】
本考案は鼻緒を備えた履物に適用可能である。
【図面の簡単な説明】
【００３６】
【図１】本考案の実施例に係る鼻緒ずれ防止具の展開状態を示すもので、表面側の平面図である。
【図２】本考案の実施例に係る鼻緒ずれ防止具の展開状態を示すもので、裏面側の平面図である。
【図３】本考案の実施例に係る鼻緒ずれ防止具を草履に装着するために、草履の上に配置した状態を示す平面図である。
【図４】本考案の実施例に係る鼻緒ずれ防止具における翼部を鼻緒の横紐部に巻き付けた状態を示す平面図である。
【図５】本考案の実施例に係る鼻緒ずれ防止具を草履に装着した状態を示す平面図である。
【図６】本考案の実施例に係る鼻緒ずれ防止具を草履に装着した状態を後方から見た側面図である。
【符号の説明】
【００３７】
１１  鼻緒ずれ防止具
１２  鼻緒
１３  履物
１４  鼻緒カバー部
１５  横紐部
１６  横紐部
１７  翼部
１８  翼部
１９  止着部
２０  前紐部
２１  突部
２２  シート状部材
２３  窪み
２４  草履
２５  装飾
２６  面ファスナの雄部材
２７  面ファスナの雄部材
２８  面ファスナの雌部材
３１  底部材
３２  窪み
【図１】
0003123379.tif 000003
【図２】
0003123379.tif 000004
【図３】
0003123379.tif 000005
【図４】
0003123379.tif 000006
【図５】
0003123379.tif 000007
【図６】
0003123379.tif 000008